(57)【要約】【課題】本発明は、室内の温度変化を良好に抑制することができる外断熱建築物の換気構造を提供することを課題とする。【解決手段】マンションＭの換気構造は、内側にコンクリート層１１、外側に断熱部材１２を有する東側外壁１と、東側外壁１を貫通する換気給気孔１ａと、を備えて構成されている。そして、東側外壁１には、コンクリート層１１に隣接し、かつ、換気給気孔１ａを包み込む天井チャンバ２が設けられるとともに、天井チャンバ２を構成する周壁２１には、天井チャンバ２内と居住空間Ａとを繋ぐ空気導入孔２１ａが設けられている。【選択図】図１
2007198115.tif 000002
【特許請求の範囲】
【請求項１】
内側にコンクリート層、外側に断熱部材を有する壁体と、
前記壁体を貫通する換気給気孔と、を備えた外断熱建築物の換気構造であって、
前記壁体のコンクリート層に隣接し、かつ、前記換気給気孔を包み込む温度調整室を設けるとともに、
前記温度調整室を構成する周壁に、前記温度調整室内と居住空間とを繋ぐ空気導入孔を設けたことを特徴とする外断熱建築物の換気構造。
【請求項２】
天井裏から居住空間への空気の取込口が、台所の上方に配設されるとともに、
前記温度調整室が、前記天井裏に連通することを特徴とする請求項１に記載の外断熱建築物の換気構造。
【請求項３】
前記換気給気孔に、ダクトの一端部が取り付けられるとともに、
前記ダクトの他端部が、前記空気導入孔から前記換気給気孔よりも遠く離れた位置に配置されていることを特徴とする請求項１または請求項２に記載の外断熱建築物の換気構造。
【発明の詳細な説明】
【技術分野】
【０００１】
本発明は、外断熱建築物の換気構造に関する。
【背景技術】
【０００２】
一般に、建築物の断熱構造として、コンクリート躯体の周りを断熱材で包むといった外断熱工法による断熱構造が知られている。一方、室内を換気するために部屋の外壁に換気給気孔を設けて、外部と室内とを連通させている換気構造も知られている。
【０００３】
ところで、前記したような外断熱工法による断熱構造と換気構造を両方とも採用する場合には、外断熱により保温されている室内に、外部の空気が換気給気孔から入り込むことによって、室内の温度変化を良好に抑制できないといった課題がある。このような課題に対しては、従来、特許文献１に開示されている技術がある。
【０００４】
特許文献１に開示されている技術は、換気給気孔の近傍にエアコンの吸込口を配設したものである。これによれば、換気給気孔から室内に流入する外気をエアコンに吸わせることで、このエアコン内で外気の温度を調整してから室内へ導入することが可能となっている。
【特許文献１】特開２００６−２３０６５号公報（図１）
【発明の開示】
【発明が解決しようとする課題】
【０００５】
しかしながら、前記した従来技術では、エアコンが稼動していないときには、換気給気孔から室内に流入する外気は、エアコンに吸い込まれずに、そのまま室内に入り込むので、室内の温度変化を良好に抑制することができないといった問題があった。
【０００６】
そこで、本発明は、室内の温度変化を良好に抑制することができる外断熱建築物の換気構造を提供することを課題とする。
【課題を解決するための手段】
【０００７】
前記課題を解決する本発明は、内側にコンクリート層、外側に断熱部材を有する壁体と、前記壁体を貫通する換気給気孔と、を備えた外断熱建築物の換気構造であって、前記壁体のコンクリート層に隣接し、かつ、前記換気給気孔を包み込む温度調整室を設けるとともに、前記温度調整室を構成する周壁に、前記温度調整室内と居住空間とを繋ぐ空気導入孔を設けたことを特徴とする。
【０００８】
本発明によれば、換気給気孔から居住空間内に入ってこようとする外気は、一旦温度調整室内に入った後、空気導入孔を通って居住空間へと導入される。すなわち、外気が、室温と略同じ温度となる温度調整室内で室温に近づけられた後、居住空間へ導入されるので、居住空間（室内）の温度変化が良好に抑制される。また、温度調整室と隣接するコンクリート層は、熱容量が大きいことから略一定温度に保たれるため、外気が順次温度調整室内に入ってきても、コンクリート層によって温度調整室内の温度が略一定に保たれる。したがって、順次温度調整室内に導入されてくる外気を、長い時間にわたって室温へ近づけることができる。
【発明の効果】
【０００９】
本発明によれば、外気が居住空間に導入される前に一旦温度調整室に入って室温に近づけられるので、室内の温度変化を良好に抑制することができる。
【発明を実施するための最良の形態】
【００１０】
次に、本発明の一実施形態について、適宜図面を参照しながら詳細に説明する。参照する図面において、図１は、本実施形態に係るマンションの換気構造を示す平面図である。また、図２は、レンジフードによって室内に吸い込まれる空気の流れを示す断面図（ａ）と、レンジフードによって外部に排出される空気の流れを示す断面図（ｂ）である。さらに、図３は、換気装置によって外気が居住空間内を循環する状態を示す断面図（ａ）と、換気装置によって吸い込まれる空気の流れを示す断面図（ｂ）である。なお、以下の説明においては、図中の上方を「北」、下方を「南」、右方を「東」、左方を「西」とする。
【００１１】
図１に示すように、マンション（建築物）Ｍの換気構造は、ベランダＶと居住空間Ａとを仕切るための東側外壁（壁体）１と、東側外壁１の内側に設けられる天井チャンバ（温度調整室）２とを主に備えて構成されている。
【００１２】
東側外壁１は、内側にコンクリート層１１を備えるとともに、このコンクリート層１１の外側に断熱部材１２を備えて構成されている。そして、この東側外壁１には、換気給気孔１ａと換気排気孔１ｂが貫通するように形成されている。
【００１３】
換気給気孔１ａは、外気を室内に取り込むための孔であり、東側外壁１の南北方向における略中央部に形成されている。また、この換気給気孔１ａには、Ｌ字状に屈曲形成された第１ダクト３１の一端部３１ａが取り付けられている。そして、この第１ダクト３１の他端部３１ｂは、換気給気孔１ａよりも北側に配置されることによって、後で詳述する天井チャンバ２の空気導入孔２１ａから換気給気孔１ａよりも遠く離れた位置に配置されるようになっている。
【００１４】
換気排気孔１ｂは、台所Ｋ周りの空気を外部に排出するための孔であり、東側外壁１のうち前記した換気給気孔１ａよりも北側に形成されている。また、この換気排気孔１ｂには、東西方向に延びる第２ダクト３２の一端部３２ａが取り付けられている。そして、この第２ダクト３２の他端部３２ｂは、台所Ｋの上方に配設されるレンジフード（換気扇）ＲＨの上方に取り付けられている（図２（ｂ）参照）。
【００１５】
なお、前記した各ダクト３１，３２の外側には、それぞれ吸音部材が設けられるとともに、それぞれの一端部３１ａ，３２ａには、防音フードＨが設けられている。そのため、外部の騒音が、各防音フードＨや各ダクト３１，３２によって抑制されるので、室内環境を快適にすることができる。なお、第１ダクト３１としては、グラスウール巻きスパイラルダクトまたは塩ビダクトなどを採用でき、第２ダクト３２としては、ロックウール巻きスパイラルダクトなどを採用できる。
【００１６】
天井チャンバ２は、東側外壁１のコンクリート層１１に隣接する部屋であり、前記した換気給気孔１ａ、詳しくは第１ダクト３１を包み込むように形成されている。そして、この天井チャンバ２を構成する周壁のうち、コンクリート層１１以外の周壁２１の南側部分には、天井チャンバ２内と居住空間Ａとを繋ぐ空気導入孔２１ａが設けられている。なお、この空気導入孔２１ａには、居住空間Ａへの塵埃の侵入を抑制するためのフィルタ２２が設けられている。
【００１７】
また、この天井チャンバ２は、図２（ａ）に示すように、天井裏Ｒに連通している。そして、この天井裏Ｒは、台所ＫのレンジフードＲＨの周囲に設けられる空気取込口ＡＨを介して居住空間Ａに開放されている。なお、この空気取込口ＡＨには、レンジフードＲＨの稼動時に開となり、非稼動時に閉となる図示せぬシャッタ機構が取り付けられている。
【００１８】
なお、図１に示すように、この部屋全体のうち南西側の角部には、トイレＴと風呂場Ｂが設けられている。そして、風呂場Ｂには、換気装置４１が設けられており、この換気装置４１によって、トイレＴ内の空気が第３ダクト４２および第４ダクト４３を介して外部に排出されるとともに、風呂場Ｂ内の空気が第４ダクト４３を介して外部に排出されるようになっている。ここで、この換気装置４１は、２４時間常時換気に寄与しており、レンジフードＲＨで循環させる空気の量よりも少量の空気を常時循環させるように機能している。
【００１９】
なお、第４ダクト４３の外部に臨む端部には、防音フードＨが設けられている。そのため、外部の騒音が、防音フードＨによって抑制されるので、室内環境を快適にすることができる。
【００２０】
次に、レンジフードＲＨの運転時における空気の流れや換気装置４１の運転時における空気の流れについて説明する。
【００２１】
＜レンジフードＲＨの運転時＞
図２（ａ）に示すように、レンジフードＲＨを運転させると、ベランダＶ側にある外気は、第１ダクト３１を通って天井チャンバ２内に導入された後、天井裏Ｒおよび空気取込口ＡＨを通って、台所Ｋ周りに導入される。このとき、天井チャンバ２内に導入される外気は、図１に示すように、天井チャンバ２の空気導入孔２１ａから遠く離れた位置に導入されるとともに、レンジフードＲＨの吸引力によって一部が天井裏Ｒへ流出する。また、残りの外気は、天井チャンバ２内を通った後、空気導入孔２１ａから居住空間Ａ内に流出する。
【００２２】
また、外気が天井チャンバ２内や天井裏Ｒを通っている際には、熱容量の大きいコンクリート層１１と熱交換が行われるとともに、天井チャンバ２内や天井裏Ｒの空気と混ざり合うので、台所Ｋや居室空間Ａに到達したときには外気の温度が室温（居住空間Ａ内の温度）に近づいた状態となっている。そして、図２（ｂ）に示すように、台所Ｋ周りに導入された外気の一部は、台所Ｋ周りの空気とともにレンジフードＲＨに吸い込まれた後、第２ダクト３２を通って、ベランダＶ側の外部に排出される。以上により、外気が天井チャンバ２内や天井裏Ｒで温度調整されるとともに、空気の一部が居住空間Ａを迂回するように流通するので、室温が急激に変化することなく、台所Ｋ周りが換気されるようになっている。
【００２３】
＜換気装置４１の運転時＞
図１に示すように、換気装置４１を運転させると、ベランダＶ側にある外気は、第１ダクト３１を通って、天井チャンバ２の空気導入孔２１ａから遠く離れた位置に導入された後、空気導入孔２１ａから居住空間Ａ内に導入される。このとき、天井チャンバ２内に導入される外気は、天井チャンバ２内の北側から南側の空気導入孔２１ａに移動するまでの間、熱容量の大きいコンクリート層１１と熱交換を行うとともに、天井チャンバ２内の空気と混ざり合う。そのため、外気が空気導入孔２１ａに到達したときには、外気の温度が室温に近づいた状態となっている。
【００２４】
そして、このような室温に近い温度となる外気は、図３（ａ）に示すように、居住空間Ａ内で循環する。また、居住空間Ａ内の空気は、各ドアＤの隙間を通って、図３（ｂ）に示すように、トイレＴ内や風呂場Ｂ内に入った後、換気装置４１により外部に排出される（図１参照）。以上により、外気が天井チャンバ２内で適温に温度調整されるので、室温が急激に変化することなく、居住空間Ａが換気されるようになっている。さらに、換気装置４１で循環させる空気は少量であるため、小量の外気が天井チャンバ２内で良好に温度調整されるとともに、天井チャンバ２から居住空間Ａ内に導入される少量の外気による室温への影響は極めて少ない。
【００２５】
以上によれば、本実施形態において以下のような効果を得ることができる。
【００２６】
外気が居住空間Ａに導入される前に一旦天井チャンバ２に入って室温に近づけられるので、居住空間Ａ内の温度変化を良好に抑制することができる。
【００２７】
第１ダクト３１が天井チャンバ２の空気導入孔２１ａから離れるように屈曲形成されているので、この屈曲形成により全長が長くなった第１ダクト３１内を外気が通る間、外気と天井チャンバ２内の空気とをダクト周壁を介して熱交換させることができる。さらに、第１ダクト３１から流出した外気は、天井チャンバ２の端から端まで移動することとなるので、その長い距離を移動する際に、外気を、天井チャンバ２内の空気やコンクリート層１１との間で十分熱交換させることができる。
【００２８】
また、第１ダクト３１を屈曲形成することにより、その全長が長くなったので、防音効果を向上させることができる。
【実施例】
【００２９】
以下に、前記した換気装置４１の運転時における外気温と室温との関係を示す試験結果について説明する。参照する図面において、図４は、換気装置の運転時における外気温と室温の関係を示すグラフである。
【００３０】
図３に示すように、本試験においては、外気温Ｔ１と、第１ダクト３１内の温度Ｔ２と、天井チャンバ２内の温度Ｔ３と、レンジフードＲＨ用の空気取込口ＡＨ上の天井裏Ｒの温度Ｔ４と、台所Ｋ周りの温度Ｔ５を測定した。また、換気装置４１による空気の流量を５０ｍ３／ｈとし、測定期間を３日とした。さらに、エアコンによる室温の変化も見るために、エアコンの稼動を適宜行った。
【００３１】
以上のような条件で、試験を行うと、図４に示すような結果を得ることができた。なお、図４において、細い実線は外気温Ｔ１を示し、一点鎖線は温度Ｔ２を示し、二点鎖線は温度Ｔ３を示し、破線は温度Ｔ４を示し、太い実線は温度Ｔ５を示している。また、棒グラフは、エアコンの使用電力を示している。これによれば、室温である台所Ｋ周りの温度Ｔ５は、エアコンの稼動による影響は受けるが、外気温Ｔ１の上昇・下降の影響をほとんど受けずに略一定であることが確認された。また、天井チャンバ２内の温度Ｔ３と空気取込口ＡＨ上の天井裏Ｒの温度Ｔ４は、エアコンの稼動や外気温Ｔ１の上昇・下降の影響を受けずに略一定に維持されていることが確認された。
【００３２】
なお、本発明は前記実施形態に限定されることなく、以下に例示するように様々な形態で利用できる。
【００３３】
前記実施形態では、天井チャンバ２を隣接させて取り付ける壁体としてベランダＶ側の東側外壁１を採用したが、本発明はこれに限定されず、どの壁であってもよい。
【００３４】
前記実施形態では、温度調整室として天井側に設けた天井チャンバ２を採用したが、本発明はこれに限定されず、例えば床側に温度調整室を設け、この温度調整室と天井裏を繋げるようにしてもよい。
【００３５】
前記実施形態では、換気排気孔１ｂと換気給気孔１ａを北側から順に設けたが、本発明はこれに限定されず、どのように配置してもよい。なお、換気給気孔１ａを最も北側に設けた場合は、最も南側に設けられている空気導入孔２１ａから十分離れているので、第１ダクト３１は屈曲させる必要はなく、また、第１ダクト３１を設ける必要もなくなる。
【００３６】
前記実施形態では、第１ダクト３１をＬ字状に屈曲させたが、本発明はこれに限定されず、例えば第１ダクト３１を複数回屈曲させてもよい。これによれば、外気が第１ダクト３１を流れる時間が長くなるので、第１ダクト３１内における外気と天井チャンバ２内の空気との熱交換量を多くすることができる。
【図面の簡単な説明】
【００３７】
【図１】本実施形態に係るマンションの換気構造を示す平面図である。
【図２】レンジフードによって室内に吸い込まれる空気の流れを示す断面図（ａ）と、レンジフードによって外部に排出される空気の流れを示す断面図（ｂ）である。
【図３】換気装置によって外気が居住空間内を循環する状態を示す断面図（ａ）と、換気装置によって吸い込まれる空気の流れを示す断面図（ｂ）である。
【図４】換気装置の運転時における外気温と室温の関係を示すグラフである。
【符号の説明】
【００３８】
１      東側外壁（壁体）
１ａ    換気給気孔
１ｂ    換気排気孔
２      天井チャンバ（温度調整室）
１１    コンクリート層
１２    断熱部材
２１    周壁
２１ａ  空気導入孔
２２    フィルタ
３１    第１ダクト
３１ａ  一端部
３１ｂ  他端部
４１    換気装置
Ａ      居住空間
ＡＨ    空気取込口
Ｋ      台所
Ｍ      マンション（建築物）
Ｒ      天井裏
ＲＨ    レンジフード（換気扇）
Ｖ      ベランダ
【図１】
2007198115.tif 000003
【図２】
2007198115.tif 000004
【図３】
2007198115.tif 000005
【図４】
2007198115.tif 000006